(57)【特許請求の範囲】
【請求項１】
通信のための装置であって、
プライマリアクセスカテゴリ（ＡＣ）に関連付けられたデータを送信するためのマルチユーザ（ＭＵ）フレーム内の１つまたは複数の空間ストリームの第１のセットを割り振るように構成される第１の回路と、
ここで、前記第１の回路は、適格ＡＣのセットにあるセカンダリＡＣに関連付けられたデータを送信するための、前記第１のセットとは異なる、前記ＭＵフレーム内の１つまたは複数の空間ストリームの第２のセットを割り振るようさらに構成され、前記適格ＡＣのセットは、チャネル状態情報（ＣＳＩ）が利用可能である、
前記空間ストリームの第１および第２のセットを使用して前記プライマリおよびセカンダリＡＣに関連付けられた前記データを送信するように構成される送信機と
を備え、前記セカンダリＡＣに関連付けられた前記データを送信する持続期間が前記プライマリＡＣに関連付けられた前記データを送信する持続期間を超えないように、前記空間ストリームの第１および第２のセットが割り振られる、
装置。
【請求項２】
前記ＭＵフレームの持続期間は、前記プライマリＡＣについての送信機会限度を超えない、
請求項１に記載の装置。
【請求項３】
前記適格ＡＣのセットは、前記プライマリＡＣに基づくものである、
請求項１に記載の装置。
【請求項４】
前記プライマリＡＣおよび前記セカンダリＡＣは、８０２．１１ＡＣ音声（ＡＣ  ＶＯ）、８０２．１１ＡＣビデオ（ＡＣ  ＶＩ）、８０２．１１ＡＣベストエフォート（ＡＣ  ＢＥ）データ、または８０２．１１ＡＣバックグラウンド（ＡＣ  ＢＫ）データの少なくとも１つを備え、
８０２．１１ＡＣ  ＶＯの優先度は、８０２．１１ＡＣ  ＶＩの優先度よりも高く、８０２．１１ＡＣ  ＶＩの前記優先度は、８０２．１１ＡＣ  ＢＥの優先度よりも高く、８０２．１１ＡＣ  ＢＥの前記優先度は、８０２．１１ＡＣ  ＢＫの優先度よりも高い、
請求項１に記載の装置。
【請求項５】
前記プライマリＡＣに関連付けられた前記データを送信するために要求される前記ＭＵフレームのサイズを計算するように構成される第２の回路と、
前記セカンダリＡＣに関連付けられた前記データの追加により、前記ＭＵフレームの前記サイズが増大を認められる量に対応する許容パラメータに基づいて、前記ＭＵフレームの前記計算されたサイズを拡大するように構成される第３の回路と
をさらに備える、請求項１に記載の装置。
【請求項６】
前記送信機は、前記許容パラメータをブロードキャストするようさらに構成される、
請求項５に記載の装置。
【請求項７】
前記装置に隣接する他の装置と、前記許容パラメータについて交渉するように構成される第４の回路をさらに備える、
請求項５に記載の装置。
【請求項８】
前記プライマリＡＣに関連付けられた前記データのバイト数に基づいて、別のＭＵフレームのサイズを計算するように構成される第５の回路をさらに備え、
前記第１の回路は、前記ＭＵフレームの結果として生じるサイズが前記別のＭＵフレームの前記サイズを超えないように、前記ＭＵフレーム内の前記１つまたは複数の空間ストリームの第２のセットを割り振るようにさらに構成される、
請求項１に記載の装置。
【請求項９】
前記セカンダリＡＣのための媒体アクセスに対する競合に勝つ確率を低減するために、前記セカンダリＡＣに関連付けられたバックオフカウンタを調整するように構成される第６の回路をさらに備える、
請求項１に記載の装置。
【請求項１０】
前記バックオフカウンタの前記調整は、
前記バックオフカウンタをリスタートすること、
前記バックオフカウンタの残余カウントを、前記セカンダリＡＣのコンテンションウィンドウ（ＣＷ）に対応するランダム値で置き換えること、
前記バックオフカウンタの残余カウントを、前記プライマリＡＣのＣＷおよび前記セカンダリＡＣのＣＷに基づく量だけ増大すること、または
前記バックオフカウンタの残余カウントを、トラフィック仕様（ＴＳＰＥＣ）によって定義される、前記セカンダリＡＣのために要求される平均スループット、および前記セカンダリＡＣに関連付けられた前記データのスループットに基づく量だけ増大すること
の少なくとも１つを備える、請求項９に記載の装置。
【請求項１１】
前記プライマリＡＣのコンテンションウィンドウ（ＣＷ）に基づいてランダムバックオフカウントを生成するように構成される第７の回路と、
前記ランダムバックオフカウント、ならびに前記プライマリＡＣに関連付けられた前記データのみを有する前記ＭＵフレームのサイズ、または前記プライマリおよびセカンダリＡＣに関連付けられた前記データを備えるハイブリッドＡＣに関連付けられたデータを有する別のＭＵフレームのサイズの少なくとも１つに基づいて、ハイブリッドバックオフカウントを計算するように構成される第８の回路と、
前記ハイブリッドバックオフカウントを用いてバックオフカウントダウンを実施するように構成されたカウンタと
をさらに備える、請求項１に記載の装置。
【請求項１２】
前記プライマリＡＣに関連付けられた前記データの１つまたは複数のパラメータを追跡するように構成される第９の回路と、
前記パラメータの１つまたは複数がトラフィック仕様（ＴＳＰＥＣ）要件に準拠しない場合、前記セカンダリＡＣに関連付けられた前記データの前記送信を不可能にするように構成される第１０の回路と
をさらに備える、請求項１に記載の装置。
【請求項１３】
割り振ることができる前記空間ストリームの数は、前記プライマリＡＣに関連付けられた前記データを受信することが予想される装置の空間ストリームの数を備える、
請求項１に記載の装置。
【請求項１４】
前記第１のセットは、前記プライマリＡＣに関連付けられた前記データを受信することが予想される別の装置の前記１つまたは複数の空間ストリームを備える、
請求項１に記載の装置。
【請求項１５】
通信のための方法であって、
プライマリアクセスカテゴリ（ＡＣ）に関連付けられたデータを送信するためのマルチユーザ（ＭＵ）フレーム内の１つまたは複数の空間ストリームの第１のセットを割り振ることと、
適格ＡＣのセットにあるセカンダリＡＣに関連付けられたデータを送信するための、前記第１のセットとは異なる、前記ＭＵフレーム内の１つまたは複数の空間ストリームの第２のセットを割り振ることと、ここで、前記適格ＡＣのセットは、チャネル状態情報（ＣＳＩ）が利用可能である、
前記空間ストリームの第１および第２のセットを使用して、前記プライマリおよびセカンダリＡＣに関連付けられた前記データを送信することと
を備え、前記セカンダリＡＣに関連付けられた前記データを送信する持続期間が前記プライマリＡＣに関連付けられた前記データを送信する持続期間を超えないように、前記空間ストリームの第１および第２のセットが割り振られる、
方法。
【請求項１６】
前記ＭＵフレームの持続期間は、前記プライマリＡＣについての送信機会限度を超えない、
請求項１５に記載の方法。
【請求項１７】
前記適格ＡＣのセットは、前記プライマリＡＣに基づくものである、
請求項１５に記載の方法。
【請求項１８】
前記プライマリＡＣおよび前記セカンダリＡＣは、８０２．１１ＡＣ音声（ＡＣ  ＶＯ）、８０２．１１ＡＣビデオ（ＡＣ  ＶＩ）、８０２．１１ＡＣベストエフォート（ＡＣ  ＢＥ）データ、または８０２．１１ＡＣバックグラウンド（ＡＣ  ＢＫ）データのうちの少なくとも１つを備え、
８０２．１１ＡＣ  ＶＯの優先度は、８０２．１１ＡＣ  ＶＩの優先度よりも高く、８０２．１１ＡＣ  ＶＩの前記優先度は、８０２．１１ＡＣ  ＢＥの優先度よりも高く、８０２．１１ＡＣ  ＢＥの前記優先度は、８０２．１１ＡＣ  ＢＫの優先度よりも高い、
請求項１５に記載の方法。
【請求項１９】
前記プライマリＡＣに関連付けられた前記データを送信するために必要とされる前記ＭＵフレームのサイズを計算することと、
前記セカンダリＡＣに関連付けられた前記データの追加により、前記ＭＵフレームの前記サイズが増大を認められる量に対応する許容パラメータに基づいて、前記ＭＵフレームの前記計算されたサイズを拡大することと
をさらに備える、請求項１５に記載の方法。
【請求項２０】
前記許容パラメータをブロードキャストすることをさらに備える、
請求項１９に記載の方法。
【請求項２１】
前記許容パラメータについて、隣接装置と交渉することをさらに備える、
請求項１９に記載の方法。
【請求項２２】
前記プライマリＡＣに関連付けられた前記データのバイト数に基づいて、別のＭＵフレームのサイズを計算することと、
前記ＭＵフレームの結果として生じるサイズが前記別のＭＵフレームの前記サイズを超えないように、前記ＭＵフレーム内の前記１つまたは複数の空間ストリームの第２のセットを割り振ることと
をさらに備える、請求項１５に記載の方法。
【請求項２３】
前記セカンダリＡＣのための媒体アクセスに対する競合に勝つ確率を低減するために、前記セカンダリＡＣに関連付けられたバックオフカウンタを調整することをさらに備える、
請求項１５に記載の方法。
【請求項２４】
前記バックオフカウンタを前記調整することは、
前記バックオフカウンタをリスタートすること、
前記バックオフカウンタの残余カウントを、前記セカンダリＡＣのコンテンションウィンドウ（ＣＷ）に対応するランダム値で置き換えること、
前記バックオフカウンタの残余カウントを、前記プライマリＡＣのＣＷおよび前記セカンダリＡＣのＣＷに基づく量だけ増大すること、または
前記バックオフカウンタの残余カウントを、トラフィック仕様（ＴＳＰＥＣ）によって定義される、前記セカンダリＡＣに必要とされる平均スループット、および前記セカンダリＡＣに関連付けられた前記データのスループットに基づく量だけ増大すること
の少なくとも１つを備える、請求項２３に記載の方法。
【請求項２５】
前記プライマリＡＣのコンテンションウィンドウ（ＣＷ）に基づいてランダムバックオフカウントを生成することと、
前記ランダムバックオフカウント、ならびに前記プライマリＡＣに関連付けられた前記データのみを有する前記ＭＵフレームのサイズ、または前記プライマリおよびセカンダリＡＣに関連付けられた前記データを備えるハイブリッドＡＣに関連付けられたデータを有する別のＭＵフレームのサイズのうちの少なくとも１つに基づいて、ハイブリッドバックオフカウントを計算することと、
前記ハイブリッドバックオフカウントを用いてバックオフカウントダウンを実施することと
をさらに備える、請求項１５に記載の方法。
【請求項２６】
前記プライマリＡＣに関連付けられた前記データの１つまたは複数のパラメータを追跡することと、
前記パラメータの１つまたは複数がトラフィック仕様（ＴＳＰＥＣ）要件に準拠しない場合、前記セカンダリＡＣに関連付けられた前記データの前記送信を不可能にすることと
をさらに備える、請求項１５に記載の方法。
【請求項２７】
割り振ることができる前記空間ストリームの数は、前記プライマリＡＣに関連付けられた前記データを受信することが予想される装置の空間ストリームの数を備える、
請求項１５に記載の方法。
【請求項２８】
前記第１のセットは、前記プライマリＡＣに関連付けられた前記データを受信することが予想される装置の前記１つまたは複数の空間ストリームを備える、
請求項１５に記載の方法。
【請求項２９】
通信のための装置であって、
プライマリアクセスカテゴリ（ＡＣ）に関連付けられたデータを送信するためのマルチユーザ（ＭＵ）フレーム内の１つまたは複数の空間ストリームの第１のセットを割り振るための手段と、
適格ＡＣのセットにあるセカンダリＡＣに関連付けられたデータを送信するための、前記第１のセットとは異なる、前記ＭＵフレーム内の１つまたは複数の空間ストリームの第２のセットを割り振るための手段と、ここで、前記適格ＡＣのセットは、チャネル状態情報（ＣＳＩ）が利用可能である、
前記空間ストリームの第１および第２のセットを使用して、前記プライマリおよびセカンダリＡＣに関連付けられた前記データを送信するための手段と
を備え、前記セカンダリＡＣに関連付けられた前記データを送信する持続期間が前記プライマリＡＣに関連付けられた前記データを送信する持続期間を超えないように、前記空間ストリームの第１および第２のセットが割り振られる、
装置。
【請求項３０】
前記ＭＵフレームの持続期間は、前記プライマリＡＣについての送信機会限度を超えない、
請求項２９に記載の装置。
【請求項３１】
前記適格ＡＣのセットは、前記プライマリＡＣに基づくものである、
請求項２９に記載の装置。
【請求項３２】
前記プライマリＡＣおよび前記セカンダリＡＣは、８０２．１１ＡＣ音声（ＡＣ  ＶＯ）、８０２．１１ＡＣビデオ（ＡＣ  ＶＩ）、８０２．１１ＡＣベストエフォート（ＡＣ  ＢＥ）データ、または８０２．１１ＡＣバックグラウンド（ＡＣ  ＢＫ）データの少なくとも１つを備え、
８０２．１１ＡＣ  ＶＯの優先度は、８０２．１１ＡＣ  ＶＩの優先度よりも高く、８０２．１１ＡＣ  ＶＩの前記優先度は、８０２．１１ＡＣ  ＢＥの優先度よりも高く、８０２．１１ＡＣ  ＢＥの前記優先度は、８０２．１１ＡＣ  ＢＫの優先度よりも高い、
請求項２９に記載の装置。
【請求項３３】
前記プライマリＡＣに関連付けられた前記データを送信するために必要とされる前記ＭＵフレームのサイズを計算するための手段と、
前記セカンダリＡＣに関連付けられた前記データの追加により、前記ＭＵフレームの前記サイズが増大を認められる量に対応する許容パラメータに基づいて、前記ＭＵフレームの前記計算されたサイズを拡大するための手段と
をさらに備える、請求項２９に記載の装置。
【請求項３４】
前記送信するための手段は、前記許容パラメータをブロードキャストするようにさらに構成される、
請求項３３に記載の装置。
【請求項３５】
前記装置に隣接する他の装置と、前記許容パラメータについて交渉するための手段をさらに備える、
請求項３３に記載の装置。
【請求項３６】
前記プライマリＡＣに関連付けられた前記データのバイト数に基づいて、別のＭＵフレームのサイズを計算するための手段と、
前記ＭＵフレームの結果として生じるサイズが前記別のＭＵフレームの前記サイズを超えないように、前記ＭＵフレーム内の前記１つまたは複数の空間ストリームの第２のセットを割り振るための手段と
をさらに備える、請求項２９に記載の装置。
【請求項３７】
前記セカンダリＡＣのための媒体アクセスに対する競合に勝つ確率を低減するために、前記セカンダリＡＣに関連付けられたバックオフカウンタを調整するための手段をさらに備える、
請求項２９に記載の装置。
【請求項３８】
前記バックオフカウンタの前記調整は、
前記バックオフカウンタをリスタートすること、
前記バックオフカウンタの残余カウントを、前記セカンダリＡＣのコンテンションウィンドウ（ＣＷ）に対応するランダム値で置き換えること、
前記バックオフカウンタの残余カウントを、前記プライマリＡＣのＣＷおよび前記セカンダリＡＣのＣＷに基づく量だけ増大すること、または
前記バックオフカウンタの残余カウントを、トラフィック仕様（ＴＳＰＥＣ）によって定義される、前記セカンダリＡＣに必要とされる平均スループット、および前記セカンダリＡＣに関連付けられた前記データのスループットに基づく量だけ増大すること
のうちの少なくとも１つを備える、請求項３７に記載の装置。
【請求項３９】
前記プライマリＡＣのコンテンションウィンドウ（ＣＷ）に基づいてランダムバックオフカウントを生成するための手段と、
前記ランダムバックオフカウント、ならびに前記プライマリＡＣに関連付けられた前記データのみを有する前記ＭＵフレームのサイズ、または前記プライマリおよびセカンダリＡＣに関連付けられた前記データを備えるハイブリッドＡＣに関連付けられたデータを有する別のＭＵフレームのサイズの少なくとも１つに基づいて、ハイブリッドバックオフカウントを計算するための手段と、
前記ハイブリッドバックオフカウントを用いてバックオフカウントダウンを実施するための手段と
をさらに備える、請求項２９に記載の装置。
【請求項４０】
前記プライマリＡＣに関連付けられた前記データの１つまたは複数のパラメータを追跡するための手段と、
前記パラメータの１つまたは複数がトラフィック仕様（ＴＳＰＥＣ）要件に準拠しない場合、前記セカンダリＡＣに関連付けられた前記データの前記送信を不可能にするための手段と
をさらに備える、請求項２９に記載の装置。
【請求項４１】
割り振ることができる前記空間ストリームの数は、前記プライマリＡＣに関連付けられた前記データを受信することが予想される装置の空間ストリームの数を備える、
請求項２９に記載の装置。
【請求項４２】
前記第１のセットは、前記プライマリＡＣに関連付けられた前記データを受信することが予想される別の装置の前記１つまたは複数の空間ストリームを備える、
請求項２９に記載の装置。
【請求項４３】
プライマリアクセスカテゴリ（ＡＣ）に関連付けられたデータを送信するためのマルチユーザ（ＭＵ）フレーム内の１つまたは複数の空間ストリームの第１のセットを割り振り、
適格ＡＣのセットにあるセカンダリＡＣに関連付けられたデータを送信するための、前記第１のセットとは異なる、前記ＭＵフレーム内の１つまたは複数の空間ストリームの第２のセットを割り振り、ここで、前記適格ＡＣのセットは、チャネル状態情報（ＣＳＩ）が利用可能である、
前記空間ストリームの第１および第２のセットを使用して、前記プライマリおよびセカンダリＡＣに関連付けられた前記データを送信する
ように少なくとも１つのコンピュータによって実行可能な命令を備え、
前記セカンダリＡＣに関連付けられた前記データを送信する持続期間が前記プライマリＡＣに関連付けられた前記データを送信する持続期間を超えないように、前記空間ストリームの第１および第２のセットが割り振られる、
通信のためのコンピュータプログラム。
【請求項４４】
少なくとも１つのアンテナと、
プライマリアクセスカテゴリ（ＡＣ）に関連付けられたデータを送信するためのマルチユーザ（ＭＵ）フレーム内の１つまたは複数の空間ストリームの第１のセットを割り振るように構成された第１の回路と、
ここで、前記第１の回路は、適格ＡＣのセットにあるセカンダリＡＣに関連付けられたデータを送信するための、前記第１のセットとは異なる、前記ＭＵフレーム内の１つまたは複数の空間ストリームの第２のセットを割り振るようにさらに構成され、前記適格ＡＣのセットは、チャネル状態情報（ＣＳＩ）が利用可能である、
前記空間ストリームの第１および第２のセットを使用して、前記プライマリおよびセカンダリＡＣに関連付けられた前記データを、前記少なくとも１つのアンテナを介して送信するように構成される送信機と
を備え、前記セカンダリＡＣに関連付けられた前記データを送信する持続期間が前記プライマリＡＣに関連付けられた前記データを送信する持続期間を超えないように、前記空間ストリームの第１および第２のセットが割り振られる、
アクセスポイント。
【発明の詳細な説明】
【関連出願】
【０００１】
米国特許法第１１９条に基づく優先権の主張
本特許出願は、本出願の譲受人に譲渡され、参照により本明細書に明確に組み込まれる、２０１０年８月３１日に出願された「Ｒｕｌｅｓ  ｆｏｒ  ｍｕｌｔｉｐｌｅｘｉｎｇ  ｄａｔａ  ｏｆ  ｄｉｆｆｅｒｅｎｔ  ａｃｃｅｓｓ  ｃａｔｅｇｏｒｉｅｓ  ｉｎ  ｍｕｌｔｉ  ｕｓｅｒ  ＭＩＭＯ  ｗｉｒｅｌｅｓｓ  ｓｙｓｔｅｍｓ」と題する米国仮特許出願第６１／３７８，５６７号の優先権を主張する。
【技術分野】
【０００２】
本開示のいくつかの態様は概して、ワイヤレス通信に関し、より詳細には、マルチユーザ多入力多出力（ＭＵ−ＭＩＭＯ）ワイヤレスシステムにおける異なるアクセスカテゴリのデータを多重化するための方法に関する。
【背景技術】
【０００３】
ワイヤレス通信システムに要求される帯域幅要件の増加の問題に対処するために、高いデータスループットを達成しながら、複数のユーザ端末がチャネルリソースを共有することによって単一のアクセスポイントと通信することを可能にするために、様々な方式が開発されている。多入力多出力（ＭＩＭＯ）技術は、次世代通信システムのための普及している技法として最近現れた１つのそのような手法を表す。ＭＩＭＯ技術は、米国電気電子技術者協会（ＩＥＥＥ）８０２．１１標準など、いくつかの新生のワイヤレス通信標準において採用されている。ＩＥＥＥ８０２．１１は、（たとえば、数十メートルから数百メートルの）短距離通信のためにＩＥＥＥ８０２．１１委員会によって開発されたワイヤレスローカルエリアネットワーク（ＷＬＡＮ）エアインターフェース標準のセットを示す。
【０００４】
ＩＥＥＥ８０２．１１ＷＬＡＮ標準団体は、５ＧＨｚのキャリア周波数（すなわち、ＩＥＥＥ８０２．１１ａｃ仕様）を使用する、または毎秒１ギガビットよりも大きい合計スループットを目標とする６０ＧＨｚのキャリア周波数（すなわち、ＩＥＥＥ８０２．１１ａｄ仕様）を使用する、超高スループット（ＶＨＴ）手法に基づく送信のための仕様を確立した。ＶＨＴ  ５ＧＨｚ仕様を可能にするための技術のうちの１つは、２つの４０ＭＨｚチャネルを結合して８０ＭＨｚ帯域幅にし、したがってＩＥＥＥ８０２．１１ｎ標準と比較してごくわずかなコストの増加で物理レイヤ（ＰＨＹ）データレートを２倍にする、より広いチャネル帯域幅である。
【０００５】
ＭＩＭＯシステムは、データ伝送に複数の（ＮT）送信アンテナと複数の（ＮR）受信アンテナとを採用する。ＮT個の送信アンテナおよびＮR個の受信アンテナによって形成されるＭＩＭＯチャネルは、ＮS個の独立チャネルに分解可能で、これは空間チャネルとも呼ばれ、ＮS≦ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与えることができる。
【０００６】
単一アクセスポイント（ＡＰ）および複数のユーザ局（ＳＴＡ）を有するワイヤレスネットワークでは、アップリンクとダウンリンク方向の両方で、異なる局に向かって複数のチャネル上で同時送信が起こり得る。そのようなシステムには多くの課題が存在する。
【発明の概要】
【０００７】
本開示のいくつかの態様は、通信のための装置を提供する。この装置は概して、プライマリアクセスカテゴリ（ＡＣ）に関連付けられたデータを送信するためのマルチユーザ（ＭＵ）フレーム内の１つまたは複数のストリームの第１のセットを割り振るように構成された第１の回路であって、プライマリＡＣに関連付けられたデータに割り振ることができる全個数のストリームのうち最大個数のストリームを第１のセットが備えると、適格ＡＣのセットにあるセカンダリＡＣに関連付けられたデータを送信するための、第１のセットとは異なる、ＭＵフレーム内の１つまたは複数のストリームの第２のセットを割り振るようにも構成された第１の回路と、ストリームの第１および第２のセットを使用して、プライマリおよびセカンダリＡＣに関連付けられたデータを送信するように構成された送信機とを含む。
【０００８】
本開示のいくつかの態様は、通信のための方法を提供する。この方法は概して、プライマリアクセスカテゴリ（ＡＣ）に関連付けられたデータを送信するためのマルチユーザ（ＭＵ）フレーム内の１つまたは複数のストリームの第１のセットを割り振ることと、プライマリＡＣに関連付けられたデータに割り振ることができる全個数のストリームのうち最大個数のストリームを第１のセットが備えると、適格ＡＣのセットにあるセカンダリＡＣに関連付けられたデータを送信するための、第１のセットとは異なる、ＭＵフレーム内の１つまたは複数のストリームの第２のセットを割り振ることと、ストリームの第１および第２のセットを使用して、プライマリおよびセカンダリＡＣに関連付けられたデータを送信することとを含む。
【０００９】
本開示のいくつかの態様は、通信のための装置を提供する。この装置は概して、プライマリアクセスカテゴリ（ＡＣ）に関連付けられたデータを送信するためのマルチユーザ（ＭＵ）フレーム内の１つまたは複数のストリームの第１のセットを割り振るための手段と、プライマリＡＣに関連付けられたデータに割り振ることができる全個数のストリームのうち最大個数のストリームを第１のセットが備えると、適格ＡＣのセットにあるセカンダリＡＣに関連付けられたデータを送信するための、第１のセットとは異なる、ＭＵフレーム内の１つまたは複数のストリームの第２のセットを割り振るための手段と、ストリームの第１および第２のセットを使用して、プライマリおよびセカンダリＡＣに関連付けられたデータを送信するための手段とを含む。
【００１０】
本開示のいくつかの態様は、通信のためのコンピュータプログラム製品を提供する。このコンピュータプログラム製品は概して、プライマリアクセスカテゴリ（ＡＣ）に関連付けられたデータを送信するためのマルチユーザ（ＭＵ）フレーム内の１つまたは複数のストリームの第１のセットを割り振り、プライマリＡＣに関連付けられたデータに割り振ることができる全個数のストリームのうち最大個数のストリームを第１のセットが備えると、適格ＡＣのセットにあるセカンダリＡＣに関連付けられたデータを送信するための、第１のセットとは異なる、ＭＵフレーム内の１つまたは複数のストリームの第２のセットを割り振り、ストリームの第１および第２のセットを使用して、プライマリおよびセカンダリＡＣに関連付けられたデータを送信するように実行可能な命令を備えるコンピュータ可読媒体を含む。
【００１１】
本開示のいくつかの態様は、アクセスポイントを提供する。このアクセスポイントは概して、少なくとも１つのアンテナと、プライマリアクセスカテゴリ（ＡＣ）に関連付けられたデータを送信するためのマルチユーザ（ＭＵ）フレーム内の１つまたは複数のストリームの第１のセットを割り振るように構成された第１の回路であって、プライマリＡＣに関連付けられたデータに割り振ることができる全個数のストリームのうち最大個数のストリームを第１のセットが備えると、適格ＡＣのセットにあるセカンダリＡＣに関連付けられたデータを送信するための、第１のセットとは異なる、ＭＵフレーム内の１つまたは複数のストリームの第２のセットを割り振るようにも構成された第１の回路と、ストリームの第１および第２のセットを使用して、プライマリおよびセカンダリＡＣに関連付けられたデータを、少なくとも１つのアンテナを介して送信するように構成された送信機とを含む。
【図面の簡単な説明】
【００１２】
本開示の上述の特徴を詳細に理解することができるように、添付の図面にその一部を示す態様を参照することによって、上記で簡単に要約したより具体的な説明を得ることができる。しかし、添付の図面は、本開示の特定の典型的な態様のみを示し、したがって、本開示の範囲の限定とみなされてはならず、その理由は、この説明が他の同等の効果のある態様をもたらし得るからであることに留意されたい。
【図１】本開示のいくつかの態様によるワイヤレス通信ネットワークの図。
【図２】本開示のいくつかの態様による、例示的アクセスポイントおよびユーザ端末のブロック図。
【図３】本開示の特定の態様による例示的ワイヤレスデバイスのブロック図。
【図４】本開示のいくつかの態様による、拡張分散協調アクセス（ＥＤＣＡ）の一例を示す図。
【図５】本開示のいくつかの態様による、アクセスポイントにおいて実施され得る例示的な動作を示す図。
【図５Ａ】図５に示す動作を実施することが可能な例示的構成要素を示す図。
【発明を実施するための形態】
【００１３】
添付の図面を参照しながら本開示の様々な態様について以下でより十分に説明する。ただし、本開示は、多くの異なる形態で実施され得るものであり、本開示全体にわたって提示する任意の特定の構造または機能に限定されるものと解釈すべきではない。むしろ、これらの態様は、本開示が周到で完全になり、本開示の範囲を当業者に十分に伝えるために与えるものである。本明細書の教示に基づいて、本開示の範囲は、本開示の他の態様とは無関係に実装されるにせよ、本開示の他の態様と組み合わせて実装されるにせよ、本明細書で開示する本開示のいかなる態様をもカバーするものであることを、当業者なら諒解されたい。たとえば、本明細書に記載の態様をいくつ使用しても、装置を実施することができ、または方法を実施することができる。さらに、本開示の範囲は、本明細書に記載の本開示の様々な態様に加えてまたはそれらの態様以外に、他の構造、機能、または構造および機能を使用して実施されるそのような装置またはそのような方法をカバーするものとする。本明細書で開示する本開示の任意の態様が請求項の１つまたは複数の要素によって実施できることを理解されたい。
【００１４】
「例示的」という単語は、本明細書では「例、事例、または例示の働きをすること」を意味するために使用する。「例示的」として本明細書で説明するいかなる態様も、必ずしも他の態様よりも好適または有利なものと解釈すべきではない。
【００１５】
本明細書では特定の態様について説明するが、これらの態様の多くの変形体および置換は本開示の範囲内に入る。好ましい態様のいくつかの利益および利点について説明するが、本開示の範囲は特定の利益、使用、または目的に限定されるものではない。むしろ、本開示の態様は、様々なワイヤレス技術、システム構成、ネットワーク、および送信プロトコルに広く適用可能であるものとし、そのうちのいくつかを例として図および好ましい態様についての以下の説明で示す。発明を実施するための形態および図面は、限定的なものではなく本開示を説明するものにすぎず、本開示の範囲は添付の特許請求の範囲およびその均等物によって規定される。
【００１６】
例示的なワイヤレス通信システム  
本明細書に記載の技法は、直交多重化方式に基づく通信システムを含む、様々なブロードバンドワイヤレス通信システムに使用され得る。そのような通信システムの例には、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどがある。ＳＤＭＡシステムは、十分に異なる方向を使用して、複数のユーザ端末に属すデータを同時に送信することができる。ＴＤＭＡシステムは、複数のユーザ端末が、送信信号を異なるタイムスロットに分割することによって、同じ周波数チャネルを共有することを可能にすることができ、各タイムスロットは、異なるユーザ端末に割り当てられる。ＴＤＭＡシステムは、ＧＳＭ（登録商標）または当技術分野で知られている何らかの他の標準を実装することができる。ＯＦＤＭＡシステムは、全システム帯域幅を複数の直交サブキャリアに区分する変調技法である、直交周波数分割多重（ＯＦＤＭ）を利用する。これらのサブキャリアは、トーン、ビンなどと呼ぶこともできる。ＯＦＤＭでは、各サブキャリアはデータで独立して変調できる。ＯＦＤＭシステムは、ＩＥＥＥ８０２．１１または当技術分野で知られている何らかの他の標準を実装することができる。ＳＣ−ＦＤＭＡシステムは、システム帯域幅にわたって分散されたサブキャリア上で送信するためのインターリーブされたＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用することができる。一般に、変調シンボルは、ＯＦＤＭでは周波数領域で、ＳＣ−ＦＤＭＡでは時間領域で送信される。ＳＣ−ＦＤＭＡシステムは、３ＧＰＰ−ＬＴＥ（第３世代パートナーシッププロジェクトロングタームエボリューション（Ｌｏｎｇ  Ｔｅｒｍ  Ｅｖｏｌｕｔｉｏｎ））または当技術分野で知られているいくつかの他の標準を実装することができる。
【００１７】
本明細書の教示は、様々なワイヤードまたはワイヤレス装置（たとえば、ノード）に組み込まれ得る（たとえば、その装置内に実装され、またはその装置によって実行され得る）。いくつかの態様では、ノードはワイヤレスノードを備える。たとえば、そのようなワイヤレスノードは、ワイヤードまたはワイヤレス通信リンクを介した、ネットワーク（たとえば、インターネットまたはセルラーネットワークなど、ワイドエリアネットワーク）のための、またはネットワークへの接続性を与え得る。いくつかの態様では、本明細書の教示に従って実装されるワイヤレスノードはアクセスポイントまたはアクセス端末を備え得る。
【００１８】
アクセスポイント（「ＡＰ」）は、ノードＢ、無線ネットワークコントローラ（「ＲＮＣ」）、ｅノードＢ、基地局コントローラ（「ＢＳＣ」）、ベーストランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらのいずれかとして実装されるか、あるいはそれらのいずれかとして知られていることがある。いくつかの実装形態では、アクセスポイントは、セットトップボックスキオスク、メディアセンター、またはワイヤレスもしくはワイヤード媒体を介して通信するように構成された他のどの好適なデバイスも備え得る。本開示のいくつかの態様によると、アクセスポイントは、ワイヤレス通信標準の米国電気電子技術者協会（ＩＥＥＥ）８０２．１１ファミリーに従って動作し得る。
【００１９】
アクセス端末（「ＡＴ」）は、アクセス端末、加入者局、加入者ユニット、移動局、リモート局、リモート端末、ユーザ端末、ユーザエージェント、ユーザデバイス、ユーザ機器（「ＵＥ」）、ユーザ局、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、局（ＳＴＡ）、またはワイヤレスモデムに接続された何らかの他の好適な処理デバイスを備え得る。したがって、本明細書で教示する１つまたは複数の態様は、電話（たとえば、セルラー電話またはスマートフォン）、コンピュータ（たとえば、ラップトップ）、ポータブル通信デバイス、ポータブルコンピューティングデバイス（たとえば、個人情報端末）、タブレット、娯楽デバイス（たとえば、音楽またはビデオデバイス、あるいは衛星ラジオ）、テレビジョンディスプレイ、フリップカム、セキュリティビデオカメラ、デジタルビデオレコーダ（ＤＶＲ）、全地球測位システムデバイス、あるいはワイヤレスまたはワイヤード媒体を介して通信するように構成された任意の他の好適なデバイスに組み込まれ得る。本開示のいくつかの態様によると、アクセス端末は、ワイヤレス通信標準のＩＥＥＥ８０２．１１ファミリーに従って動作し得る。
【００２０】
図１に、アクセスポイントとユーザ端末とをもつ多元接続多入力多出力（ＭＩＭＯ）システム１００を示す。簡単のために、図１にはただ１つのアクセスポイント１１０を示してある。アクセスポイントは、一般に、ユーザ端末と通信する固定局であり、基地局または何らかの他の用語で呼ばれることもある。ユーザ端末は、固定でもモバイルでもよく、移動局、ワイヤレスデバイスまたは何らかの他の用語で呼ばれることもある。アクセスポイント１１０は、ダウンリンクおよびアップリンク上で所与の瞬間において１つまたは複数のユーザ端末１２０と通信することができる。ダウンリンク（すなわち、順方向リンク）はアクセスポイントからユーザ端末への通信リンクであり、アップリンク（すなわち、逆方向リンク）はユーザ端末からアクセスポイントへの通信リンクである。ユーザ端末はまた、別のユーザ端末とピアツーピアに通信することができる。システムコントローラ１３０は、アクセスポイントに結合し、アクセスポイントの調整および制御を行う。
【００２１】
以下の開示の部分では、空間分割多元接続（ＳＤＭＡ）によって通信することが可能なユーザ端末１２０について説明するが、いくつかの態様では、ユーザ端末１２０は、ＳＤＭＡをサポートしないいくつかのユーザ端末をも含むことができる。したがって、そのような態様では、ＡＰ１１０は、ＳＤＭＡユーザ端末と非ＳＤＭＡユーザ端末の両方と通信するように構成できる。この手法は、より新しいＳＤＭＡユーザ端末が適宜に導入されることを可能にしながら、より古いバージョンのユーザ端末（「レガシー」局）が企業に配備されたままであることを都合よく可能にして、それらの有効寿命を延長することができる。
【００２２】
システム１００は、ダウンリンクおよびアップリンク上でのデータ伝送のために複数の送信アンテナおよび複数の受信アンテナを採用する。アクセスポイント１１０は、Ｎap個のアンテナを備え、ダウンリンク送信では多入力（ＭＩ）を表し、アップリンク送信では多出力（ＭＯ）を表す。Ｋ個の選択されたユーザ端末１２０のセットは、ダウンリンク送信では多出力を集合的に表し、アップリンク送信では多入力を集合的に表す。純粋なＳＤＭＡの場合、Ｋ個のユーザ端末のためのデータシンボルストリームが、何らかの手段によって、コード、周波数、または時間で多重化されない場合、Ｎap≧Ｋ≧１であることが望まれる。ＴＤＭＡ技法、ＣＤＭＡを用いた様々なコードチャネル、ＯＦＤＭを用いたサブバンドの独立セットなどを使用してデータシンボルストリームを多重化することができる場合、ＫはＮapよりも大きくすることができる。各選択されたユーザ端末は、ユーザ固有のデータをアクセスポイントに送信し、および／またはアクセスポイントからユーザ固有のデータを受信する。一般に、各選択されたユーザ端末は、１つまたは複数のアンテナを備えることができる（すなわち、Ｎut≧１）。Ｋ個の選択されたユーザ端末は、同じまたは異なる数のアンテナを有することができる。
【００２３】
ＳＤＭＡシステム１００は時分割複信（ＴＤＤ）システムまたは周波数分割複信（ＦＤＤ）システムとすることができる。ＴＤＤシステムの場合、ダウンリンクとアップリンクは同じ周波数帯域を共有する。ＦＤＤシステムの場合、ダウンリンクとアップリンクは異なる周波数帯域を使用する。ＭＩＭＯシステム１００はまた、伝送のために単一のキャリアまたは複数のキャリアを利用することができる。各ユーザ端末は、（たとえば、コストを抑えるために）単一のアンテナを備えることができ、または（たとえば、追加費用をサポートすることができる場合）複数のアンテナを備えることができる。ユーザ端末１２０が、送信／受信を異なるタイムスロットに分割することによって、同じ周波数チャネルを共有する場合、システム１００は、ＴＤＭＡシステムであってもよく、各タイムスロットは、異なるユーザ端末１２０に割り当てられる。
【００２４】
図２に、ＭＩＭＯシステム１００におけるアクセスポイント１１０と２つのユーザ端末１２０ｍおよび１２０ｘとのブロック図を示す。アクセスポイント１１０は、ＮT個のアンテナ２２４ａ〜２２４ｔを備える。ユーザ端末１２０ｍは、Ｎut,m個のアンテナ２５２ｍａ〜２５２ｍｕを備え、ユーザ端末１２０ｘは、Ｎut,x個のアンテナ２５２ｘａ〜２５２ｘｕを備える。アクセスポイント１１０は、ダウンリンクでは送信エンティティであり、アップリンクでは受信エンティティである。各ユーザ端末１２０は、アップリンクでは送信エンティティであり、ダウンリンクでは受信エンティティである。本明細書で使用する「送信エンティティ」は、ワイヤレスチャネルを介してデータを送信することが可能な独立動作型の装置またはデバイスであり、「受信エンティティ」は、ワイヤレスチャネルを介してデータを受信することが可能な独立動作型の装置またはデバイスである。以下の説明では、下付き文字「ｄｎ」はダウンリンクを示し、下付き文字「ｕｐ」はアップリンクを示し、Ｎup個のユーザ端末がアップリンク上での同時伝送のために選択され、Ｎdn個のユーザ端末がダウンリンク上での同時伝送のために選択され、Ｎupは、Ｎdnに等しいことも等しくないこともあり、ＮupおよびＮdnは、静的な値であるかまたはスケジュール間隔ごとに変化することができる。アクセスポイントおよびユーザ端末においてビームステアリングまたは何らかの他の空間処理技法が使用できる。
【００２５】
アップリンク上では、アップリンク送信のために選択された各ユーザ端末１２０において、ＴＸデータプロセッサ２８８は、データソース２８６からトラフィックデータを受信し、コントローラ２８０から制御データを受信する。ＴＸデータプロセッサ２８８は、ユーザ端末のための選択されたレートに関連するコーディングおよび変調方式に基づいて、ユーザ端末のためのトラフィックデータを処理（たとえば、符号化、インターリーブ、および変調）し、データシンボルストリームを与える。ＴＸ空間プロセッサ２９０は、データシンボルストリームに対して空間処理を実行し、Ｎut,m個の送信シンボルストリームをＮut,m個のアンテナに供給する。各送信機ユニット（ＴＭＴＲ）２５４は、アップリンク信号を発生するために、それぞれの送信シンボルストリームを受信し、処理（たとえば、アナログ変換、増幅、フィルタ処理、および周波数アップコンバート）する。Ｎut,m個の送信機ユニット２５４は、Ｎut,m個のアンテナ２５２からアクセスポイントへの送信のために、Ｎut,m個のアップリンク信号を与える。
【００２６】
アップリンク上での同時伝送のためにＮup個のユーザ端末がスケジュールできる。これらのユーザ端末の各々は、そのデータシンボルストリームに対して空間処理を実行し、アップリンク上で送信シンボルストリームのそのセットをアクセスポイントに送信する。
【００２７】
アクセスポイント１１０において、Ｎap個のアンテナ２２４ａ〜２２４ａｐは、アップリンク上で送信するすべてのＮup個のユーザ端末からアップリンク信号を受信する。各アンテナ２２４は、受信信号をそれぞれの受信機ユニット（ＲＣＶＲ）２２２に供給する。各受信機ユニット２２２は、送信機ユニット２５４によって実行された処理と相補的な処理を実行し、受信シンボルストリームを与える。ＲＸ空間プロセッサ２４０は、Ｎap個の受信機ユニット２２２からのＮap個の受信シンボルストリームに対して受信機空間処理を実行し、Ｎup個の復元されたアップリンクデータシンボルストリームを与える。受信機空間処理は、チャネル相関行列反転（ＣＣＭＩ）、最小平均２乗誤差（ＭＭＳＥ）、ソフト干渉消去（ＳＩＣ）、または何らかの他の技法に従って実行される。各復元されたアップリンクデータシンボルストリームは、それぞれのユーザ端末によって送信されたデータシンボルストリームの推定値である。ＲＸデータプロセッサ２４２は、復号データを得るために、そのストリームのために使用されたレートに応じて各復元されたアップリンクデータシンボルストリームを処理（たとえば、復調、デインターリーブ、および復号）する。各ユーザ端末の復号データは、記憶のためにデータシンク２４４に供給でき、および／またはさらなる処理のためにコントローラ２３０に供給できる。
【００２８】
ダウンリンク上では、アクセスポイント１１０において、ＴＸデータプロセッサ２１０は、ダウンリンク送信のためにスケジュールされたＮdn個のユーザ端末ためのデータソース２０８からトラフィックデータを受信し、コントローラ２３０から制御データを受信し、場合によってはスケジューラ２３４から他のデータを受信する。様々なタイプのデータは様々なトランスポートチャネル上で送信できる。ＴＸデータプロセッサ２１０は、そのユーザ端末のために選択されたレートに基づいて各ユーザ端末のトラフィックデータを処理（たとえば、符号化、インターリーブ、変調）する。ＴＸデータプロセッサ２１０は、Ｎdn個のダウンリンクデータシンボルストリームをＮdn個のユーザ端末に供給する。ＴＸ空間プロセッサ２２０は、Ｎdn個のダウンリンクデータシンボルストリームに対して空間処理（本開示に記載するプリコーディングまたはビームフォーミングなど）を実施し、Ｎap個のアンテナにＮap個の送信シンボルストリームを与える。各送信機ユニット２２２は、ダウンリンク信号を発生するために、それぞれの送信シンボルストリームを受信し、処理する。Ｎap個のアンテナ２２４からユーザ端末への送信のために、Ｎap個のダウンリンク信号を与えるＮap個の送信機ユニット２２２。
【００２９】
各ユーザ端末１２０において、Ｎut,m個のアンテナ２５２は、アクセスポイント１１０からＮap個のダウンリンク信号を受信する。各受信機ユニット２５４は、関連するアンテナ２５２からの受信信号を処理し、受信シンボルストリームを与える。ＲＸ空間プロセッサ２６０は、Ｎut,m個の受信機ユニット２５４からのＮut,m個の受信シンボルストリームに対して受信機空間処理を実行し、復元されたダウンリンクデータシンボルストリームをユーザ端末に供給する。受信機空間処理は、ＣＣＭＩ、ＭＭＳＥまたは何らかの他の技法に従って実行される。ＲＸデータプロセッサ２７０は、ユーザ端末のための復号データを得るために、復元されたダウンリンクデータシンボルストリームを処理（たとえば、復調、デインターリーブ、および復号）する。
【００３０】
各ユーザ端末１２０において、チャネル推定器２７８は、ダウンリンクチャネル応答を推定し、チャネル利得推定値、ＳＮＲ推定値、ノイズ分散などを含み得るダウンリンクチャネル推定値を与える。同様に、チャネル推定器２２８は、アップリンクチャネル応答を推定し、アップリンクチャネル推定値を与える。各ユーザ端末のためのコントローラ２８０は通常、ユーザ端末についての空間フィルタ行列を、そのユーザ端末についてのダウンリンクチャネル応答行列Ｈdn,mに基づいて導出する。コントローラ２３０は、アクセスポイントについての空間フィルタ行列を、実効アップリンクチャネル応答行列Ｈup,effに基づいて導出する。各ユーザ端末のためのコントローラ２８０は、フィードバック情報（たとえば、ダウンリンクおよび／またはアップリンク固有ベクトル、固有値、ＳＮＲ推定値など）をアクセスポイントに送ることができる。コントローラ２３０および２８０は、それぞれ、アクセスポイント１１０およびユーザ端末１２０における様々な処理ユニットの動作も制御する。
【００３１】
図１〜図２に示すワイヤレスシステム１００は、ＩＥＥＥ８０２．１１ａｃワイヤレス通信標準に従って動作し得る。ＩＥＥＥ８０２．１１ａｃは、ＩＥＥＥ８０２．１１ワイヤレスネットワークにおけるより高いスループットを可能にする新たなＩＥＥＥ８０２．１１改正を表す。より高いスループットは、一度に複数のユーザ局（ＳＴＡ）への並列送信など、いくつかの処置により、またはより広いチャネル帯域幅（たとえば、８０ＭＨｚもしくは１６０ＭＨｚ）を使用することによって実現され得る。ＩＥＥＥ８０２．１１ａｃは、超高スループット（ＶＨＴ）ワイヤレス通信標準とも呼ばれる。
【００３２】
ＩＥＥＥ８０２．１１ａｃは、単一マルチユーザ送信における異なるアクセスカテゴリのデータの多重化を可能にする。それゆえ、異なるアクセスカテゴリに属すデータの正確な多重化のための規則を定義することが要求され得る。本開示のいくつかの態様は、アクセスポイント１１０において、競合に勝たなかったアクセスカテゴリのデータを、競合に勝ったデータとともに多重化するための規則を定義する。このようにして、各アクセスカテゴリクラスの所望のサービス品質（ＱｏＳ）を保つことができる。ある態様では、異なるアクセスカテゴリに属す多重化データが、アクセスポイント１１０から、ユーザ端末１２０の１つまたは複数に送信され得る。
【００３３】
図３に、ワイヤレス通信システム１００内で採用できるワイヤレスデバイス３０２において利用できる様々な構成要素を示す。ワイヤレスデバイス３０２は、本明細書で説明する様々な方法を実装するように構成され得るデバイスの一例である。ワイヤレスデバイス３０２はアクセスポイント１１０またはユーザ端末１２０であり得る。
【００３４】
ワイヤレスデバイス３０２は、ワイヤレスデバイス３０２の動作を制御するプロセッサ３０４を含むことができる。プロセッサ３０４は中央処理装置（ＣＰＵ）と呼ばれることもある。読取り専用メモリ（ＲＯＭ）とランダムアクセスメモリ（ＲＡＭ）の両方を含むことができるメモリ３０６は、命令とデータとをプロセッサ３０４に与える。メモリ３０６の一部は不揮発性ランダムアクセスメモリ（ＮＶＲＡＭ）をも含むことができる。プロセッサ３０４は一般に、メモリ３０６内に記憶されたプログラム命令に基づいて、論理および演算動作を実行する。メモリ３０６中の命令は、本明細書で説明する方法を実装するために実行可能である。
【００３５】
ワイヤレスデバイス３０２は、ワイヤレスデバイス３０２と遠隔地との間のデータの送信および受信を可能にするために送信機３１０と受信機３１２とを含むことができるハウジング３０８を含むこともできる。送信機３１０と受信機３１２とを組み合わせてトランシーバ３１４を形成することができる。単一または複数の送信アンテナ３１６は、ハウジング３０８に取り付けられ、トランシーバ３１４に電気的に結合され得る。ワイヤレスデバイス３０２は、複数の送信機と、複数の受信機と、複数のトランシーバとをも含むことができる（図示せず）。
【００３６】
ワイヤレスデバイス３０２は、トランシーバ３１４によって受信された信号のレベルを検出および定量化するために使用できる信号検出器３１８をも含むことができる。信号検出器３１８は、総エネルギー、シンボルごとのサブキャリア当たりのエネルギー、電力スペクトル密度および他の信号などの信号を検出し得る。ワイヤレスデバイス３０２はまた、信号を処理する際に使用するためのデジタル信号プロセッサ（ＤＳＰ）３２０を含み得る。
【００３７】
本開示のいくつかの態様は、ワイヤレスデバイス３０２において、競合に勝たなかったアクセスカテゴリのデータを、競合に勝ったデータとともに多重化するための規則を定義する。このようにして、各アクセスカテゴリクラスの所望のＱｏＳを保つことができる。ある態様では、異なるアクセスカテゴリに属す多重化データが、ワイヤレスデバイス３０２から、１つまたは複数のユーザ端末（図３には示さず）に送信され得る。別の態様では、ワイヤレスデバイス３０２は、ワイヤレスデバイス３０２にサービスするアクセスポイントにおいて多重化され得る異なるアクセスカテゴリに属すデータを受信し、処理するように構成され得る。
【００３８】
ワイヤレスデバイス３０２の様々な構成要素は、データバスに加えて、電力バスと、制御信号バスと、ステータス信号バスとを含み得るバスシステム３２２によって互いに結合され得る。
【００３９】
拡張分散協調アクセス  
ＩＥＥＥ８０２．１１ベースのネットワークでは、アクセスカテゴリに基づく、トラフィックについての優先アクセスは、拡張分散協調アクセス（ＥＤＣＡ）手順に従って与えられ得る。ＥＤＣＡベースのアクセスでは、図４に示すように、異なるアクセスカテゴリ（ＡＣ）についてのデータは、異なる送信キューに分けることができる。各送信キューに関して、アクセスポイント（ＡＰ）は、送信キューのＡＣに対応するパラメータのセットを使用するチャネルアクセスに対して競合する場合がある。ある態様では、２つの競合パラメータは、ＡＣフレーム間空間（ＡＩＦＳ）およびコンテンションウィンドウ（ＣＷ）であり得る。ＡＩＦＳおよびＣＷは、あるＡＣに、別のＡＣよりも大きい、媒体にアクセスする見込みが与えられ得るように選ばれ得る。たとえば、ビデオ（ＶＩ）トラフィックは、ベストエフォート（ＢＥ）データよりも低いＡＩＦＳおよびＣＷをもつＡＣに割り当てられ得る。
【００４０】
マルチユーザＭＩＭＯ（ＭＵ−ＭＩＭＯ）は、ＡＰが複数の宛先局（ＳＴＡ）にデータを送信することを可能にし得る。ＭＵ−ＭＩＭＯ対応ＡＰにとって、特定のＡＣについてのアクセスがＥＤＣＡにより取得されるとき、そのＡＣのトラフィックを可能にするだけでは非効率的である場合がある。アクセスが取得された特定のクラスについてのデータは利用できないが、別のＡＣについてのデータが利用可能であることにより、ＡＰからの利用可能空間ストリームが使用されない場合、ネットワークスループットを低下させてしまう場合がある。ただし、異なるＡＣにある任意のデータ多重化により、送信される物理層収束手順プロトコルデータユニット（ＰＰＤＵ）のサイズが大きくなってしまう場合がある。
【００４１】
ダウンリンクＭＵ−ＭＩＭＯ送信に追加空間ストリームが加えられた場合、個々のストリームによって取得される有効信号対干渉雑音比（ＳＩＮＲ）は低下する場合があることに留意されたい。それゆえ、個々のストリームの各々が用いることができる変調符号化方式（ＭＣＳ）を簡約することができ、したがってＰＰＤＵの持続期間が増大し得る。これにより、媒体にアクセスする異なるＡＰの間に不公平が引き起こされ得る。たとえば、あるＡＰが、より多くのＢＥデータと、優先度が比較的高くないＶＩデータとを有し、そのＡＰが、ＶＩトラフィックについて取得されたアクセスにおいて、ＢＥデータをＶＩデータと多重化する場合、多重化ＢＥデータに起因して被られる追加時間により、その特定のＡＰは、優先度が高いＶＩデータのみをもつ別のＡＰに対して不公平になり得る。
【００４２】
本開示のいくつかの態様は、トラフィッククラス区別およびＱｏＳの保証など、ＥＤＣＡの望ましい特性を保ちながら、異なるクラスのトラフィックを多重化する方法をサポートする。
【００４３】
アクセスカテゴリのＱｏＳアウェアな効率的多重化  
ＭＵ−ＭＩＭＯにおいて送信されるのに適格なプライマリＡＣデータのセットが、最初に定義され得る。一態様では、プライマリＡＣデータのセットは、競合に勝つとともにチャネル状態情報（ＣＳＩ）が利用可能であるクラスのデータを備え得る。さらに、ＭＵ−ＭＩＭＯにおいて送信されるのに適格なセカンダリＡＣデータのセットも定義され得る。一態様では、セカンダリＡＣデータのセットは、競合には勝たなかったがＣＳＩが利用可能であるクラスのデータを備え得る。
【００４４】
さらに、セカンダリＡＣデータセットは、制限付きＡＣセットのデータを備え得る。たとえば、ＶＩデータのみが、音声（ＶＯ）データと多重化することができ、バックグラウンド（ＢＫ）データは、ＢＥデータのみと多重化することができる。それゆえ、適格なセカンダリＡＣのセットは、プライマリＡＣに基づき得る。ある態様では、ＡＣ  ＶＯの優先度は、ＡＣ  ＶＩの優先度よりも高くてよく、ＡＣ  ＶＩの優先度は、ＡＣ  ＢＥの優先度よりも高くてよく、ＡＣ  ＢＥの優先度は、ＡＣ  ＢＫの優先度よりも高くてよい。
【００４５】
各マルチユーザＰＰＤＵ（ＭＵ−ＰＰＤＵ）において、利用可能ストリームは、最初にプライマリデータに割り振ることができる。プライマリデータをＭＵ−ＰＰＤＵに追加することができなくなると、ＡＰは、残っているストリームを、セカンダリＡＣデータにサービスするのに使用すると決定し得る。
【００４６】
ある態様では、セカンダリＡＣデータを送達するストリームのための送信持続期間は、プライマリＡＣデータを送信するストリームの送信持続期間を超え得ない。実際には、ＡＰは、セカンダリＡＣのために使用されるものを備える空間ストリームの数に基づいてＭＣＳを計算することができる。次いで、ＡＰは、プライマリＡＣのためのパケットを作成することができ、その持続期間を計算することができる。それに続いて、ＡＰは、最大でもプライマリ送信の長さをもつセカンダリパケットを作成するように、セカンダリデータを追加することができる。ある態様では、ＰＰＤＵ（または複数のＰＰＤＵ）の持続期間は、プライマリＡＣデータのための送信機会限度を超えてはならない。
【００４７】
本開示の以下の態様は、異なるクラスのデータの多重化がどのように実現され得るかという方法に対する追加制約を挙げる。
【００４８】
本開示のいくつかの態様は、あらかじめ規定されたＰＰＤＵサイズ増大許容を使用する。各アクセスカテゴリに対して、許容パラメータｔ（ｉ，ｊ）を定義することができ、ｔは、プライマリＡＣ（ＡＣｉ）のデータを備えるＰＰＤＵのサイズが別のＡＣのデータ（たとえば、セカンダリアクセスカテゴリＡＣｊのデータ）の追加により増大を認められ得る量を指す。以下の例は、許容パラメータがどのように使われ得るかを示し、媒体アクセスは、プライマリＡＣ、すなわち、ＡＣｉに関して取得され得る。
【００４９】
最初に、ＡＣｉのデータを送信するのに要求される最小ＰＰＤＵサイズＭiを計算すればよい。次いで、ＡＣｊのデータをもつ全体ＰＰＤＵサイズがＭi（１＋ｔ（ｉ，ｊ））に等しくなり得るようなサイズまで、ＡＣｊのデータを追加すればよい。
【００５０】
この増大したデータ長は、事前設定された最大送信機会持続期間を超え得ないことに留意されたい。データ長の延長は、プライマリＡＣデータの量に依存し得る。一態様では、使用される許容パラメータｔ（ｉ，ｊ）は、ＡＰによってブロードキャストすることができる。別の態様では、ＡＰは、隣接ＡＰと、使用される正確な許容パラメータについて交渉していてもよい。
【００５１】
本開示のいくつかの態様は、ＰＰＤＵに入れて搬送されるプライマリＡＣデータの量に基づいて、プライマリＡＣ（すなわち、ＡＣｉ）のＰＰＤＵの最大延長を判断する方法をサポートする。最小ＰＰＤＵサイズＭ（ｉ）は、プライマリＡＣのデータを用いて最初に計算され得る。利用可能空間ストリームの数は、Ｎfreeとして示され得る。この後、空間ストリームごとのバイト数（ＮBYTES）、および最小ＰＰＤＵサイズについての、ＰＰＤＵ中の最長集合体とともに、ＳＴＡによって使用されるＭＣＳ（ＭＣＳi）を取得することができる。
【００５２】
ＭＣＳiにおける、それぞれがＮBYTES仮想データを有するＮfree擬似空間ストリームを追加することができ、仮想的に拡張されたＰＰＤＵの新たなサイズＭMUX（ｉ）を計算することができる。ＭMUX（ｉ）を計算する際、ＡＰは、Ｍ（ｉ）を計算する際に使用されるＭＣＳとは対照的に、異なるＭＣＳが、擬似空間ストリームとともに要求され得るということを考慮する必要があり得ることに留意されたい。最終的に、ＰＰＤＵの結果として生じるサイズがＭMUX（ｉ）の値を超えないように、セカンダリＡＣのデータが集合体に追加され得る。
【００５３】
本開示のいくつかの態様は、多重化されたセカンダリクラスのバックオフウィンドウの増分をサポートする。セカンダリＡＣのデータがプライマリＡＣのデータと多重化されると、送信されるＰＰＤＵのサイズおよび／または無線で使用される時間が増大し得る。この時間増大により、他のＡＰおよびＳＴＡにおけるプライマリＡＣデータのスループットが低下し得る。起こり得るスループット低下に対抗するための一手法は、セカンダリアクセスを表すアクセスカテゴリＡＣjにとっての、媒体アクセスの競合に勝つ確率を低減することでよい。これは、ＡＣjがセカンダリＡＣとして搬送されたときに搬送されるデータの量および／またはセカンダリＡＣとして取得されたアクセスの頻度のいずれかに基づいて実施することができる。
【００５４】
本開示の一態様では、ＡＣのバックオフカウンタは、ＡＣがセカンダリＡＣとしてのアクセスを取得するたびにリスタートすることができる。バックオフカウンタのどの残余カウントも、セカンダリＡＣのコンテンションウィンドウ（ＣＷ）に対応する、新たに生成されたランダム値で置き換えることができる。
【００５５】
本開示の別の態様では、（セカンダリＡＣである）ＡＣの残余バックオフは、プライマリＡＣのＣＷに基づく量だけ増分され得る。ｒjは、プライマリＡＣiを通してアクセスを取得するセカンダリＡＣについての残余カウントを指すものとする。次いで、セカンダリＡＣの残余カウントは、次のように増分され得る。  
ｒj(new)＝ｒj・ｍａｘ（１，ＣＷj／ＣＷi）          （１）
【００５６】
本開示のさらに別の態様では、多重化セカンダリクラスのバックオフウィンドウは、平均スループットに基づいて増大され得る。Ｔ（ｊ）は、ＡＣjトラフィックについてのトラフィック仕様（ＴＳＰＥＣ）要件によって定義されるＡＣjの平均スループットを指すものとする。Ｔactual（ｊ）は、所定の時間ウィンドウにおけるスループットを測定することによって、または所定の移動平均関数を使用して取得されたＡＣjの測定スループットを指すものとする。次いで、ＡＣjについての残余バックオフの増分は、Ｔ（ｊ）とＴactual（ｊ）との比、すなわち以下に基づき得る。  
ｒj(new)＝ｒj・ｍａｘ（１，Ｔ（ｊ）／Ｔactual（ｊ））        （２）
【００５７】
本開示のいくつかの態様は、動的ハイブリッドクラス（すなわち、ハイブリッドＡＣ）の生成をサポートする。この方法では、ＡＰが、プライマリＡＣiに対するバックオフカウントダウンの開始に先立って、ＰＰＤＵサイズがセカンダリＡＣjデータなしで（すなわち、Ｍjのサイズ）、およびセカンダリＡＣjデータの追加ありで（すなわち、Ｍij≧ＭiであるＭijのサイズ）どうなるかを決定し得る。追加するべきセカンダリＡＣデータの量の判断は、上述した方法の１つに基づき得ることに留意されたい。この後、ＡＰは、プライマリクラスのＣＷに基づいてランダムバックオフカウントを生成することができ、取得したランダムバックオフカウントを、比（Ｍij／Ｍi）に従ってスケーリングすることができる。さらに、ＡＰは、多重化ＰＰＤＵのための競合手順に使用されるべきＡＩＦＳパラメータを増分することもできる。
【００５８】
上述した方法の第１のステップで、ランダム値ｃｗ（ｉ）が、プライマリＡＣのＣＷ（すなわち、ＣＷi）に従って生成され得る。その後、第２のステップで、ハイブリッドＡＣに対応する新たな値ｃｗhybrid（ｉ，ｊ）を、次のように計算することができる。  
ｃｗhybrid（ｉ，ｊ）＝ｃｗ（ｉ）・ｆ（Ｍij／Ｍi）          （３）
【００５９】
第３のステップで、値ｃｗhybrid（ｉ，ｊ）が計算されると、この特定の値からカウントダウンが始まり得る。
【００６０】
上記ステップに加え、コンテンションウィンドウカウントの減少（たとえば、媒体条件に起因する）がプライマリクラスＡＣiのＱｏＳ制約を満たす程には十分に高速でないとＡＰが判断した場合、ＡＰは、元の値ｃｗ（ｉ）に戻ることを選び得る。この場合、ＰＰＤＵは、サイズＭiになり、プライマリクラスＡＣiのデータを備えるだけになり得る。
【００６１】
本開示の一態様では、ＴＳＰＥＣによるＱｏＳ要件が特定のプライマリＡＣについて満たされる場合、ＡＰは、追跡に基づいて、ＡＣ多重化／非多重化の間で切り替わり得る。ＴＳＰＥＣ  ＱｏＳ要件が満たされる場合、ＡＰは、セカンダリＡＣのデータを追加し、ＴＳＰＥＣへの、プライマリＡＣデータの準拠を追跡し続けることができる。一方、ＡＣiの１つまたは複数の測定ＱｏＳパラメータ（たとえば、スループット）が、ＴＳＰＥＣによって指定された要件よりも低いと判断され、かつ／または取得された遅延が、ＴＳＰＥＣ要件よりも高いと判断される場合、ＡＰは、ＡＣiがプライマリＡＣであるときはＡＣ多重化を不可能にしてよい。さらに、ＡＰは、他のＡＣについてもＡＣ多重化を不可能にしてよい。
【００６２】
本開示の一態様では、ＡＣ多重化に対する非許容が明示的に指示され得る。たとえば、ＡＰが、そのＡＰのトラフィックのＱｏＳ要件が満たされていないと判断した場合、ＡＰは、送信プリアンブルの全方向信号（ＳＩＧ）フィールドヘッダー中のビットをマークすることによって、または他の隣接ＡＰに制御メッセージを送ることによって、ネットワークにおけるＡＣ多重化に対する非許容を示し得る。ＡＰは、この判断を、プリアンブルの（１つまたは複数の）ＳＩＧタイプＡフィールドをデコードすることによって、隣接するネットワークからの送信がＭＵ−ＭＩＭＯ送信であることを観察した後で行うことができる。
【００６３】
図５は、本開示のいくつかの態様による、アクセスポイントにおいて実施され得る例示的な動作５００を示す。５０２で、アクセスポイントは、プライマリアクセスカテゴリ（ＡＣ）に関連付けられたデータを送信するためのマルチユーザ（ＭＵ）フレーム内の１つまたは複数のストリームの第１のセットを割り振ることができる。ある態様では、ＭＵフレームは、少なくとも１つのＭＵ−ＰＰＤＵを備え得る。５０４で、プライマリＡＣに関連付けられたデータに割り振ることができる全個数のストリームのうち最大個数のストリームを第１のセットが備えると、アクセスポイントは、適格ＡＣのセットにあるセカンダリＡＣに関連付けられたデータを送信するための、第１のセットとは異なる、ＭＵフレーム内の１つまたは複数のストリームの第２のセットを割り振ることができる。５０６で、アクセスポイントは、ストリームの第１および第２のセットを使用して、プライマリおよびセカンダリＡＣに関連付けられたデータを送信することができる。
【００６４】
ある態様では、セカンダリＡＣは、プライマリＡＣよりも高い優先順位を有し得る。別の態様では、セカンダリＡＣは、プライマリＡＣよりも最大でも１つ下の優先順位を有し得る。ある態様では、割り振ることができるストリームの数は、プライマリＡＣに関連付けられたデータの宛先である装置（たとえば、アクセス端末）のストリームの数を備え得る。
【００６５】
ある態様では、アクセスポイントの回路は、セカンダリＡＣに関連付けられたバックオフカウンタを、セカンダリＡＣのための媒体アクセスに対する競合に勝つ確率を低減するように調整するように構成され得る。バックオフカウンタの調整は、バックオフカウンタをリスタートすること、バックオフカウンタの残余カウントを、セカンダリＡＣのコンテンションウィンドウ（ＣＷ）に対応するランダム値で置き換えること、バックオフカウンタの残余カウントを、プライマリＡＣのＣＷおよびセカンダリＡＣのＣＷに基づく量だけ増大すること、またはバックオフカウンタの残余カウントを、ＴＳＰＥＣによって定義される、セカンダリＡＣに要求される平均スループットおよびセカンダリＡＣに関連付けられたデータのスループットに基づく量だけ増大することの少なくとも１つを備え得る。
【００６６】
上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／または（１つまたは複数の）モジュールを含み得る。一般に、図に示す動作がある場合、それらの動作は、同様の番号をもつ対応するカウンターパートのミーンズプラスファンクション構成要素を有し得る。たとえば、図５に示す動作５００は、図５Ａに示す構成要素５００Ａに対応する。
【００６７】
本明細書で使用する「判断」という用語は、多種多様なアクションを包含する。たとえば、「判断」は、計算、算出、処理、導出、調査、探索（たとえば、テーブル、データベース、または別のデータ構造での探索）、確認などを含むことができる。また、「判断」は、受信（たとえば、情報を受信すること）、アクセス（たとえば、メモリ中のデータにアクセスすること）などを含むことができる。また、「判断」は、解決、選択、選出、確立などを含むことができる。
【００６８】
本明細書で使用する、項目のリスト「のうちの少なくとも１つ」を指す句は、単一のメンバーを含む、それらのアイテムの任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーするものとする。
【００６９】
上記で説明した方法の様々な動作は、（１つまたは複数の）様々なハードウェアおよび／またはソフトウェア構成要素、回路、および／または（１つまたは複数の）モジュールなど、それらの動作を実行することが可能な任意の好適な手段によって実行され得る。一般に、図に示すどの動作も、その動作を実行することが可能な対応する機能的手段によって実行され得る。
【００７０】
たとえば、割り振るための手段は、特定用途向け集積回路、たとえば、アクセスポイント１１０の図２のプロセッサ２１０、またはワイヤレスデバイス３０２の図３のプロセッサ３０４を備え得る。送信するための手段は、送信機、たとえば、アクセスポイント１１０の図２の送信機２２２、またはワイヤレスデバイス３０２の図３の送信機３１０を備え得る。計算するための手段は、特定用途向け集積回路、たとえば、プロセッサ２１０またはプロセッサ３０４を備え得る。拡張するための手段は、特定用途向け集積回路、たとえば、プロセッサ２１０またはプロセッサ３０４を備え得る。生成するための手段は、特定用途向け集積回路、たとえば、プロセッサ２１０またはプロセッサ３０４を備え得る。調整するための手段は、特定用途向け集積回路、たとえば、プロセッサ２１０またはプロセッサ３０４を備え得る。リスタートするための手段は、特定用途向け集積回路、たとえば、プロセッサ２１０またはプロセッサ３０４を備え得る。置き換えるための手段は、特定用途向け集積回路、たとえば、プロセッサ２１０またはプロセッサ３０４を備え得る。増大するための手段は、特定用途向け集積回路、たとえば、プロセッサ２１０またはプロセッサ３０４を備え得る。実施するための手段は、特定用途向け集積回路、たとえば、プロセッサ２１０またはプロセッサ３０４を備え得る。追跡するための手段は、特定用途向け集積回路、たとえば、プロセッサ２１０またはプロセッサ３０４を備え得る。不可能にするための手段は、特定用途向け集積回路、たとえば、プロセッサ２１０またはプロセッサ３０４を備え得る。ブロードキャストするための手段は、送信機、たとえば、送信機２２２、または送信機３１０を備え得る。交渉するための手段は、特定用途向け集積回路、たとえば、プロセッサ２１０、トランシーバ２２２、プロセッサ３０４、またはワイヤレスデバイス３０２の図３のトランシーバ３１４を備え得る。
【００７１】
本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行できる。汎用プロセッサはマイクロプロセッサとすることができるが、代替として、プロセッサは、任意の市販のプロセッサ、コントローラ、マイクロコントローラ、または状態機械とすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。
【００７２】
本開示に関連して説明した方法またはアルゴリズムのステップは、直接ハードウェアか、プロセッサによって実行されるソフトウェアモジュールか、またはその２つの組合せで実施できる。ソフトウェアモジュールは、当技術分野で知られている任意の形式の記憶媒体中に常駐することができる。使用できる記憶媒体のいくつかの例には、ランダムアクセスメモリ（ＲＡＭ）、読取り専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭなどがある。ソフトウェアモジュールは、単一の命令、または多数の命令を備えることができ、いくつかの異なるコードセグメント上で、異なるプログラム間で、および複数の記憶媒体にわたって分散できる。記憶媒体は、プロセッサがその記憶媒体から情報を読み取ることができ、その記憶媒体に情報を書き込むことができるように、プロセッサに結合できる。代替として、記憶媒体はプロセッサに一体化することができる。
【００７３】
本明細書で開示する方法は、説明した方法を達成するための１つまたは複数のステップまたはアクションを備える。本方法のステップおよび／またはアクションは、特許請求の範囲の範囲から逸脱することなく互いに入れ替えることができる。言い換えれば、ステップまたはアクションの特定の順序が指定されない限り、特定のステップおよび／またはアクションの順序および／または使用は特許請求の範囲から逸脱することなく変更できる。
【００７４】
説明した機能は、ハードウェア、ソフトウェア、ファームウェア、またはそれらの組合せで実装できる。ソフトウェアで実装する場合、機能は、１つまたは複数の命令またはコードとしてコンピュータ可読媒体上に記憶するか、あるいはコンピュータ可読媒体を介して送信することができる。コンピュータ可読媒体は、ある場所から別の場所へのコンピュータプログラムの転送を容易にする任意の媒体を含む、コンピュータ記憶媒体とコンピュータ通信媒体の両方を含む。記憶媒体は、コンピュータによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭ、あるいは他の光ディスクストレージ、磁気ディスクストレージまたは他の磁気記憶デバイス、もしくは命令またはデータ構造の形態の所望のプログラムコードを搬送または記憶するために使用でき、コンピュータによってアクセスできる任意の他の媒体を備えることができる。さらに、いかなる接続もコンピュータ可読媒体と適切に呼ばれる。たとえば、ソフトウェアが同軸ケーブル、光ファイバーケーブル、ツイストペア、デジタル加入者回線（ＤＳＬ）、または赤外線、無線、およびマイクロ波といったワイヤレス技術を使用してウェブサイト、サーバ、または他のリモートソースから送信される場合、その同軸ケーブル、光ファイバーケーブル、ツイストペア、ＤＳＬ、または赤外線（ＩＲ）、無線、およびマイクロ波といったワイヤレス技術は、媒体の定義に含まれる。本明細書で使用されるとき、ディスク（ｄｉｓｋ）とディスク（ｄｉｓｃ）とは、コンパクトディスク（ｃｏｍｐａｃｔ  ｄｉｓｃ）（ＣＤ）と、レーザディスク（ｌａｓｅｒ  ｄｉｓｃ）と、光ディスク（ｏｐｔｉｃａｌ  ｄｉｓｃ）と、デジタルバーサタイルディスク（ｄｉｇｉｔａｌ  ｖｅｒｓａｔｉｌｅ  ｄｉｓｃ）（ＤＶＤ）と、フロッピー（登録商標）ディスク（ｆｌｏｐｐｙ（登録商標）  ｄｉｓｋ）と、ブルーレイ（登録商標）ディスク（Ｂｌｕ−ｒａｙ（登録商標）  ｄｉｓｃ）とを含み、ディスク（ｄｉｓｋ）が、通常、磁気的にデータを再生する一方、ディスク（ｄｉｓｃ）は、レーザを用いて光学的にデータを再生する。したがって、いくつかの態様では、コンピュータ可読媒体は一時的でないコンピュータ可読媒体（たとえば、有形媒体）を備え得る。さらに、他の態様では、コンピュータ可読媒体は、一時的なコンピュータ可読媒体（たとえば、信号）を備え得る。上記の組合せもコンピュータ可読媒体の範囲内に含めるべきである。
【００７５】
したがって、いくつかの態様は、本明細書で提示する動作を実行するためのコンピュータプログラム製品を備え得る。たとえば、そのようなコンピュータプログラム製品は、本明細書で説明する動作を実行するために１つまたは複数のプロセッサによって実行可能である命令をその上に記憶した（および／または符号化した）コンピュータ可読媒体を備え得る。いくつかの態様では、コンピュータプログラム製品はパッケージング材料を含み得る。
【００７６】
ソフトウェアまたは命令はまた、送信媒体を介して送信できる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、送信媒体の定義に含まれる。
【００７７】
さらに、本明細書に記載の方法および技法を実行するためのモジュールおよび／または他の適切な手段は、適用可能な場合にユーザ端末および／または基地局によってダウンロードおよび／または他の方法で取得できることを諒解されたい。たとえば、本明細書で説明した方法を実行するための手段の転送を容易にするために、そのようなデバイスをサーバに結合することができる。代替的に、本明細書で説明される様々な方法は、ユーザ端末および／または基地局がストレージ手段をデバイスに結合するかまたは与えると様々な方法を得ることができるように、ストレージ手段（たとえば、ＲＡＭ、ＲＯＭ、コンパクトディスク（ＣＤ）またはフロッピーディスクなど物理記憶媒体など）によって提供できる。さらに、本明細書で説明する方法および技法をデバイスに与えるための任意の他の適切な技法を利用することができる。
【００７８】
特許請求の範囲は、上記に示した正確な構成および構成要素に限定されないことを理解されたい。上記の方法および装置の構成、動作および詳細において、特許請求の範囲から逸脱することなく、様々な改変、変更および変形を行うことができる。
【００７９】
上記は本開示の態様を対象とするが、本開示の他の態様およびさらなる態様は、その基本的範囲から逸脱することなく考案され得、その範囲は以下の特許請求の範囲によって判断される。
以下に、本願出願の当初の特許請求の範囲に記載された発明を付記する。
［Ｃ１］
通信のための装置であって、
プライマリアクセスカテゴリ（ＡＣ）に関連付けられたデータを送信するためのマルチユーザ（ＭＵ）フレーム内の１つまたは複数のストリームの第１のセットを割り振るように構成される第１の回路と、
ここで、前記プライマリＡＣに関連付けられた前記データに割り振ることができる全個数のストリームのうち最大個数のストリームを前記第１のセットが備えると、前記第１の回路は、適格ＡＣのセットにあるセカンダリＡＣに関連付けられたデータを送信するための、前記第１のセットとは異なる、前記ＭＵフレーム内の１つまたは複数のストリームの第２のセットを割り振るようさらに構成される、
前記ストリームの第１および第２のセットを使用して前記プライマリおよびセカンダリＡＣに関連付けられた前記データを送信するように構成される送信機と
を備える装置。
［Ｃ２］
前記セカンダリＡＣに関連付けられた前記データを送信する持続期間が前記プライマリＡＣに関連付けられた前記データを送信する持続期間を超えないように、前記ストリームの第１および第２のセットが割り振られる、
［Ｃ１］に記載の装置。
［Ｃ３］
前記ＭＵフレームの持続期間は、前記プライマリＡＣについての送信機会限度を超えない、
［Ｃ１］に記載の装置。
［Ｃ４］
前記適格ＡＣのセットは、前記プライマリＡＣの関数である、
［Ｃ１］に記載の装置。
［Ｃ５］
前記プライマリＡＣおよび前記セカンダリＡＣは、８０２．１１ＡＣ音声（ＡＣ  ＶＯ）、８０２．１１ＡＣビデオ（ＡＣ  ＶＩ）、８０２．１１ＡＣベストエフォート（ＡＣ  ＢＥ）データ、または８０２．１１ＡＣバックグラウンド（ＡＣ  ＢＫ）データの少なくとも１つを備え、
８０２．１１ＡＣ  ＶＯの優先度は、８０２．１１ＡＣ  ＶＩの優先度よりも高く、８０２．１１ＡＣ  ＶＩの前記優先度は、８０２．１１ＡＣ  ＢＥの優先度よりも高く、８０２．１１ＡＣ  ＢＥの前記優先度は、８０２．１１ＡＣ  ＢＫの優先度よりも高い、
［Ｃ１］に記載の装置。
［Ｃ６］
前記セカンダリＡＣは、前記プライマリＡＣよりも高い優先順位を有し、または
前記セカンダリＡＣは、前記プライマリＡＣを最大でも１つ下の優先順位を有する、
［Ｃ１］に記載の装置。
［Ｃ７］
前記プライマリＡＣに関連付けられた前記データを送信するために要求される前記ＭＵフレームのサイズを計算するように構成される第２の回路と、
前記セカンダリＡＣに関連付けられた前記データの追加により、前記ＭＵフレームの前記サイズが増大を認められる量に対応する許容パラメータに基づいて、前記ＭＵフレームの前記計算されたサイズを拡大するように構成される第３の回路と
をさらに備える、［Ｃ１］に記載の装置。
［Ｃ８］
前記送信機は、前記許容パラメータをブロードキャストするようさらに構成される、
［Ｃ７］に記載の装置。
［Ｃ９］
前記装置に隣接する他の装置と、前記許容パラメータについて交渉するように構成される第４の回路をさらに備える、
［Ｃ７］に記載の装置。
［Ｃ１０］
前記プライマリＡＣに関連付けられた前記データのバイト数に基づいて、別のＭＵフレームのサイズを計算するように構成される第２の回路をさらに備え、
前記第１の回路は、前記ＭＵフレームの結果として生じるサイズが前記別のＭＵフレームの前記サイズを超えないように、前記ＭＵフレーム内の前記１つまたは複数のストリームの第２のセットを割り振るようにさらに構成される、
［Ｃ１］に記載の装置。
［Ｃ１１］
前記セカンダリＡＣのための媒体アクセスに対する競合に勝つ確率を低減するために、前記セカンダリＡＣに関連付けられたバックオフカウンタを調整するように構成される第２の回路をさらに備える、
［Ｃ１］に記載の装置。
［Ｃ１２］
前記バックオフカウンタの前記調整は、
前記バックオフカウンタをリスタートすること、
前記バックオフカウンタの残余カウントを、前記セカンダリＡＣのコンテンションウィンドウ（ＣＷ）に対応するランダム値で置き換えること、
前記バックオフカウンタの残余カウントを、前記プライマリＡＣのＣＷおよび前記セカンダリＡＣのＣＷに基づく量だけ増大すること、または
前記バックオフカウンタの残余カウントを、トラフィック仕様（ＴＳＰＥＣ）によって定義される、前記セカンダリＡＣのために要求される平均スループット、および前記セカンダリＡＣに関連付けられた前記データのスループットに基づく量だけ増大すること
の少なくとも１つを備える、［Ｃ１１］に記載の装置。
［Ｃ１３］
前記プライマリＡＣのコンテンションウィンドウ（ＣＷ）に基づいてランダムバックオフカウントを生成するように構成される第２の回路と、
前記ランダムバックオフカウント、ならびに前記プライマリＡＣに関連付けられた前記データのみを有する前記ＭＵフレームのサイズ、または前記プライマリおよびセカンダリＡＣに関連付けられた前記データを備えるハイブリッドＡＣに関連付けられたデータを有する別のＭＵフレームのサイズの少なくとも１つに基づいて、ハイブリッドバックオフカウントを計算するように構成される第３の回路と、
前記ハイブリッドバックオフカウントを用いてバックオフカウントダウンを実施するように構成されたカウンタと
をさらに備える、［Ｃ１］に記載の装置。
［Ｃ１４］
前記プライマリＡＣに関連付けられた前記データの１つまたは複数のパラメータを追跡するように構成される第２の回路と、
前記パラメータの１つまたは複数がトラフィック仕様（ＴＳＰＥＣ）要件に準拠しない場合、前記セカンダリＡＣに関連付けられた前記データの前記送信を不可能にするように構成される第３の回路と
をさらに備える、［Ｃ１］に記載の装置。
［Ｃ１５］
割り振ることができる前記ストリーム数は、前記プライマリＡＣに関連付けられた前記データを受信することが予想される装置のストリームの数を備える、
［Ｃ１］に記載の装置。
［Ｃ１６］
前記第１のセットは、前記プライマリＡＣに関連付けられた前記データを受信することが予想される別の装置の前記１つまたは複数のストリームを備える、
［Ｃ１］に記載の装置。
［Ｃ１７］
通信のための方法であって、
プライマリアクセスカテゴリ（ＡＣ）に関連付けられたデータを送信するためのマルチユーザ（ＭＵ）フレーム内の１つまたは複数のストリームの第１のセットを割り振ることと、
前記プライマリＡＣに関連付けられた前記データに割り振ることができる全個数のストリームのうち最大個数のストリームを前記第１のセットが備えると、適格ＡＣのセットにあるセカンダリＡＣに関連付けられたデータを送信するための、前記第１のセットとは異なる、前記ＭＵフレーム内の１つまたは複数のストリームの第２のセットを割り振ることと、
前記ストリームの第１および第２のセットを使用して、前記プライマリおよびセカンダリＡＣに関連付けられた前記データを送信することと
を備える方法。
［Ｃ１８］
前記セカンダリＡＣに関連付けられた前記データを送信する持続期間が前記プライマリＡＣに関連付けられた前記データを送信する持続期間を超えないように、前記ストリームの第１および第２のセットが割り振られる、
［Ｃ１７］に記載の方法。
［Ｃ１９］
前記ＭＵフレームの持続期間は、前記プライマリＡＣについての送信機会限度を超えない、
［Ｃ１７］に記載の方法。
［Ｃ２０］
前記適格ＡＣのセットは、前記プライマリＡＣの関数である、
［Ｃ１７］に記載の方法。
［Ｃ２１］
前記プライマリＡＣおよび前記セカンダリＡＣは、８０２．１１ＡＣ音声（ＡＣ  ＶＯ）、８０２．１１ＡＣビデオ（ＡＣ  ＶＩ）、８０２．１１ＡＣベストエフォート（ＡＣ  ＢＥ）データ、または８０２．１１ＡＣバックグラウンド（ＡＣ  ＢＫ）データのうちの少なくとも１つを備え、
８０２．１１ＡＣ  ＶＯの優先度は、８０２．１１ＡＣ  ＶＩの優先度よりも高く、８０２．１１ＡＣ  ＶＩの前記優先度は、８０２．１１ＡＣ  ＢＥの優先度よりも高く、８０２．１１ＡＣ  ＢＥの前記優先度は、８０２．１１ＡＣ  ＢＫの優先度よりも高い、
［Ｃ１７］に記載の方法。
［Ｃ２２］
前記セカンダリＡＣは、前記プライマリＡＣよりも高い優先順位を有する、または
前記セカンダリＡＣは、前記プライマリＡＣを最大でも１つ下の優先順位を有する、
［Ｃ１７］に記載の方法。
［Ｃ２３］
前記プライマリＡＣに関連付けられた前記データを送信するために必要とされる前記ＭＵフレームのサイズを計算することと、
前記セカンダリＡＣに関連付けられた前記データの追加により、前記ＭＵフレームの前記サイズが増大を認められる量に対応する許容パラメータに基づいて、前記ＭＵフレームの前記計算されたサイズを拡大することと
をさらに備える、［Ｃ１７］に記載の方法。
［Ｃ２４］
前記許容パラメータをブロードキャストすることをさらに備える、
［Ｃ２３］に記載の方法。
［Ｃ２５］
前記許容パラメータについて、隣接装置と交渉することをさらに備える、
［Ｃ２３］に記載の方法。
［Ｃ２６］
前記プライマリＡＣに関連付けられた前記データのバイト数に基づいて、別のＭＵフレームのサイズを計算することと、
前記ＭＵフレームの結果として生じるサイズが前記別のＭＵフレームの前記サイズを超えないように、前記ＭＵフレーム内の前記１つまたは複数のストリームの第２のセットを割り振ることと
をさらに備える、［Ｃ１７］に記載の方法。
［Ｃ２７］
前記セカンダリＡＣのための媒体アクセスに対する競合に勝つ確率を低減するために、前記セカンダリＡＣに関連付けられたバックオフカウンタを調整することをさらに備える、
［Ｃ１７］に記載の方法。
［Ｃ２８］
前記バックオフカウンタを前記調整することは、
前記バックオフカウンタをリスタートすること、
前記バックオフカウンタの残余カウントを、前記セカンダリＡＣのコンテンションウィンドウ（ＣＷ）に対応するランダム値で置き換えること、
前記バックオフカウンタの残余カウントを、前記プライマリＡＣのＣＷおよび前記セカンダリＡＣのＣＷに基づく量だけ増大すること、または
前記バックオフカウンタの残余カウントを、トラフィック仕様（ＴＳＰＥＣ）によって定義される、前記セカンダリＡＣに必要とされる平均スループット、および前記セカンダリＡＣに関連付けられた前記データのスループットに基づく量だけ増大すること
の少なくとも１つを備える、［Ｃ２７］に記載の方法。
［Ｃ２９］
前記プライマリＡＣのコンテンションウィンドウ（ＣＷ）に基づいてランダムバックオフカウントを生成することと、
前記ランダムバックオフカウント、ならびに前記プライマリＡＣに関連付けられた前記データのみを有する前記ＭＵフレームのサイズ、または前記プライマリおよびセカンダリＡＣに関連付けられた前記データを備えるハイブリッドＡＣに関連付けられたデータを有する別のＭＵフレームのサイズのうちの少なくとも１つに基づいて、ハイブリッドバックオフカウントを計算することと、
前記ハイブリッドバックオフカウントを用いてバックオフカウントダウンを実施することと
をさらに備える、［Ｃ１７］に記載の方法。
［Ｃ３０］
前記プライマリＡＣに関連付けられた前記データの１つまたは複数のパラメータを追跡することと、
前記パラメータの１つまたは複数がトラフィック仕様（ＴＳＰＥＣ）要件に準拠しない場合、前記セカンダリＡＣに関連付けられた前記データの前記送信を不可能にすることと
をさらに備える、［Ｃ１７］に記載の方法。
［Ｃ３１］
割り振ることができる前記ストリーム数は、前記プライマリＡＣに関連付けられた前記データを受信することが予想される装置のストリームの数を備える、
［Ｃ１７］に記載の方法。
［Ｃ３２］
前記第１のセットは、前記プライマリＡＣに関連付けられた前記データを受信することが予想される装置の前記１つまたは複数のストリームを備える、
［Ｃ１７］に記載の方法。
［Ｃ３３］
通信のための装置であって、
プライマリアクセスカテゴリ（ＡＣ）に関連付けられたデータを送信するためのマルチユーザ（ＭＵ）フレーム内の１つまたは複数のストリームの第１のセットを割り振るための手段と、
前記プライマリＡＣに関連付けられた前記データに割り振ることができる全個数のストリームのうち最大個数のストリームを前記第１のセットが備えると、適格ＡＣのセットにあるセカンダリＡＣに関連付けられたデータを送信するための、前記第１のセットとは異なる、前記ＭＵフレーム内の１つまたは複数のストリームの第２のセットを割り振るための手段と、
前記ストリームの第１および第２のセットを使用して、前記プライマリおよびセカンダリＡＣに関連付けられた前記データを送信するための手段と
を備える装置。
［Ｃ３４］
前記セカンダリＡＣに関連付けられた前記データを送信する持続期間が前記プライマリＡＣに関連付けられた前記データを送信する持続期間を超えないように、前記ストリームの第１および第２のセットが割り振られる、
［Ｃ３３］に記載の装置。
［Ｃ３５］
前記ＭＵフレームの持続期間は、前記プライマリＡＣについての送信機会限度を超えない、
［Ｃ３３］に記載の装置。
［Ｃ３６］
前記適格ＡＣのセットは、前記プライマリＡＣの関数である、
［Ｃ３３］に記載の装置。
［Ｃ３７］
前記プライマリＡＣおよび前記セカンダリＡＣは、８０２．１１ＡＣ音声（ＡＣ  ＶＯ）、８０２．１１ＡＣビデオ（ＡＣ  ＶＩ）、８０２．１１ＡＣベストエフォート（ＡＣ  ＢＥ）データ、または８０２．１１ＡＣバックグラウンド（ＡＣ  ＢＫ）データの少なくとも１つを備え、
８０２．１１ＡＣ  ＶＯの優先度は、８０２．１１ＡＣ  ＶＩの優先度よりも高く、８０２．１１ＡＣ  ＶＩの前記優先度は、８０２．１１ＡＣ  ＢＥの優先度よりも高く、８０２．１１ＡＣ  ＢＥの前記優先度は、８０２．１１ＡＣ  ＢＫの優先度よりも高い、
［Ｃ３３］に記載の装置。
［Ｃ３８］
前記セカンダリＡＣは、前記プライマリＡＣよりも高い優先順位を有する、または
前記セカンダリＡＣは、前記プライマリＡＣを最大でも１つ下の優先順位を有する、
［Ｃ３３］に記載の装置。
［Ｃ３９］
前記プライマリＡＣに関連付けられた前記データを送信するために必要とされる前記ＭＵフレームのサイズを計算するための手段と、
前記セカンダリＡＣに関連付けられた前記データの追加により、前記ＭＵフレームの前記サイズが増大を認められる量に対応する許容パラメータに基づいて、前記ＭＵフレームの前記計算されたサイズを拡大するための手段と
をさらに備える、［Ｃ３３］に記載の装置。
［Ｃ４０］
前記送信するための手段は、前記許容パラメータをブロードキャストするようにさらに構成される、
［Ｃ３９］に記載の装置。
［Ｃ４１］
前記装置に隣接する他の装置と、前記許容パラメータについて交渉するための手段をさらに備える、
［Ｃ３９］に記載の装置。
［Ｃ４２］
前記プライマリＡＣに関連付けられた前記データのバイト数に基づいて、別のＭＵフレームのサイズを計算するための手段と、
前記ＭＵフレームの結果として生じるサイズが前記別のＭＵフレームの前記サイズを超えないように、前記ＭＵフレーム内の前記１つまたは複数のストリームの第２のセットを割り振るための手段と
をさらに備える、［Ｃ３３］に記載の装置。
［Ｃ４３］
前記セカンダリＡＣのための媒体アクセスに対する競合に勝つ確率を低減するために、前記セカンダリＡＣに関連付けられたバックオフカウンタを調整するための手段をさらに備える、［Ｃ３３］に記載の装置。
［Ｃ４４］
前記バックオフカウンタの前記調整は、
前記バックオフカウンタをリスタートすること、
前記バックオフカウンタの残余カウントを、前記セカンダリＡＣのコンテンションウィンドウ（ＣＷ）に対応するランダム値で置き換えること、
前記バックオフカウンタの残余カウントを、前記プライマリＡＣのＣＷおよび前記セカンダリＡＣのＣＷに基づく量だけ増大すること、または
前記バックオフカウンタの残余カウントを、トラフィック仕様（ＴＳＰＥＣ）によって定義される、前記セカンダリＡＣに必要とされる平均スループット、および前記セカンダリＡＣに関連付けられた前記データのスループットに基づく量だけ増大すること
のうちの少なくとも１つを備える、［Ｃ４３］に記載の装置。
［Ｃ４５］
前記プライマリＡＣのコンテンションウィンドウ（ＣＷ）に基づいてランダムバックオフカウントを生成するための手段と、
前記ランダムバックオフカウント、ならびに前記プライマリＡＣに関連付けられた前記データのみを有する前記ＭＵフレームのサイズ、または前記プライマリおよびセカンダリＡＣに関連付けられた前記データを備えるハイブリッドＡＣに関連付けられたデータを有する別のＭＵフレームのサイズの少なくとも１つに基づいて、ハイブリッドバックオフカウントを計算するための手段と、
前記ハイブリッドバックオフカウントを用いてバックオフカウントダウンを実施するための手段と
をさらに備える、［Ｃ３３］に記載の装置。
［Ｃ４６］
前記プライマリＡＣに関連付けられた前記データの１つまたは複数のパラメータを追跡するための手段と、
前記パラメータの１つまたは複数がトラフィック仕様（ＴＳＰＥＣ）要件に準拠しない場合、前記セカンダリＡＣに関連付けられた前記データの前記送信を不可能にするための手段と
をさらに備える、［Ｃ３３］に記載の装置。
［Ｃ４７］
割り振ることができる前記ストリーム数は、前記プライマリＡＣに関連付けられた前記データを受信することが予想される装置のストリームの数を備える、
［Ｃ３３］に記載の装置。
［Ｃ４８］
前記第１のセットは、前記プライマリＡＣに関連付けられた前記データを受信することが予想される別の装置の前記１つまたは複数のストリームを備える、
［Ｃ３３］に記載の装置。
［Ｃ４９］
プライマリアクセスカテゴリ（ＡＣ）に関連付けられたデータを送信するためのマルチユーザ（ＭＵ）フレーム内の１つまたは複数のストリームの第１のセットを割り振り、
前記プライマリＡＣに関連付けられた前記データに割り振ることができる全個数のストリームのうち最大個数のストリームを前記第１のセットが備えると、適格ＡＣのセットにあるセカンダリＡＣに関連付けられたデータを送信するための、前記第１のセットとは異なる、前記ＭＵフレーム内の１つまたは複数のストリームの第２のセットを割り振り、
前記ストリームの第１および第２のセットを使用して、前記プライマリおよびセカンダリＡＣに関連付けられた前記データを送信する
ように実行可能な命令を備えるコンピュータ可読媒体を備える、通信のためのコンピュータプログラム製品。
［Ｃ５０］
少なくとも１つのアンテナと、
プライマリアクセスカテゴリ（ＡＣ）に関連付けられたデータを送信するためのマルチユーザ（ＭＵ）フレーム内の１つまたは複数のストリームの第１のセットを割り振るように構成された第１の回路と、
前記第１の回路は、前記プライマリＡＣに関連付けられた前記データに割り振ることができる全個数のストリームのうち最大個数のストリームを前記第１のセットが備えると、適格ＡＣのセットにあるセカンダリＡＣに関連付けられたデータを送信するための、前記第１のセットとは異なる、前記ＭＵフレーム内の１つまたは複数のストリームの第２のセットを割り振るようにさらに構成される、
前記ストリームの第１および第２のセットを使用して、前記プライマリおよびセカンダリＡＣに関連付けられた前記データを、前記少なくとも１つのアンテナを介して送信するように構成される送信機と
を備えるアクセスポイント。
【図１】
0005607254.tif 000002
【図２】
0005607254.tif 000003
【図３】
0005607254.tif 000004
【図４】
0005607254.tif 000005
【図５】
0005607254.tif 000006
【図５Ａ】
0005607254.tif 000007